【事件の表示】
　特願２００２−３０８４９１「画像入力装置」拒絶査定不服審判事件〔平成１５年　８月２２日出願公開、特開２００３−２３３８０５〕について、次のとおり審決する。
【結　論】
　本件審判の請求は、成り立たない。
【理　由】
１　本願発明
　本願は、平成１４年１０月２３日の出願（優先権主張　平成１３年１２月４日　日本（ＪＰ））であって、本願の請求項１ないし１０に係る発明は、平成１８年５月８日付けの手続補正書により補正された明細書および図面の記載からみて、その請求項１ないし１０にそれぞれ記載されたとおりのものと認められるところ、その請求項１に係る発明（以下、「本願発明」という）は、次のとおりのものである。
「光照射手段からの光を被写体に照射し、その光のうち被写体内部で散乱した光を光センサで受光する画像入力装置において、
　前記光センサが受光する光は、前記光センサに入射される画像を有する部位とは異なる部位の前記被写体に照射した光であり、
　同一基板上に、前記光センサ
、
、前記光センサ上の前記被写体に前記光照射手段からの光を導く、光透過性の樹脂成形体からなる
を有し、
　
前記光照射手段は前記光センサの周囲に設けられ、前記導光体の光入射面が前記光照射手段を覆い、前記導光体の光出射面は前記光センサ上に位置しており、
　前記導光体は
前記光入射面から入射した光を
する
　
２　刊行物
　これに対して、原審拒絶理由で引用された、本願の優先日前である２０００年（平成１２年）７月６日に頒布された「国際公開（ＷＯ）００／３９７４４号パンフレット」（以下、「刊行物１」という）には次の事項が記載されている（原文においてa,u,oにウムラウト記号を付したもの及びエスツェットは、それぞれae,ue,oe,ssと代用表記する。日本語訳を併記する）。
ア　「Vorrichtung zur Personenidentifikation mittels mindestens eines Fingerabdrucks
-mit mindestens einer Lichtquelle (10) zum Beleuchten und/order zum 
Durchleuchten des vorderen Bereichs eines Fingers mittlels Lichtpulsen und 
-mit mindestens einer faseroptischen Fingerauflageflaeche (30) zum Abnehmen eines optischen Abbilds des Fingerabdrucks, durch welche Fingerauflageflaeche (30) das ooptische Abbild zu mindestens einer Sensoreinheit (40) transportierbar ist, in der das optische Abbild in elektrische Signale umwandelbar ist, 
wobei die mindestens eine Lichtquelle (10) seitlich neben der Fingerauflageflaeche (30) angeordnet ist und wobei das Licht von der Lichtquelle (10) in Richtung auf die von der Sensoreinheit (40) abgewandte, zum Auflegen des vorderen Bereichs des Fingers vorgesehene Seite der Fingerauflageflaeche (30) abstrahlbar ist, 
dadurch gekennzeichnet,
dass die Dauer und/oder die Intensitaet der von der mindestens einen Lichtquelle (10) abgestrahlten Lichtpulse in Abhaengigkeit von den Umgebungslichtverhaeltnissen regelbar ist. 
（光パルスによって指の前部領域を照明および／または透過照明するための少なくとも１つの光源（１０）と、指の光学的イメージを採取するための少なくとも１つのファイバー光学的な指載置面（３０）とを有し、前記指載置面（３０）を通して光学的イメージが少なくとも１つのセンサユニット（４０）へ移送可能であって、前記センサユニットにおいて光学的イメージが電気的信号に変換可能であり、上記光源（１０）が指載置面（３０）の側方に並べて配置されていて、同光源（１０）からの光は、指載置面（３０）の、センサユニット（４０）とは逆の、指の前部領域を載置するために設けられている側の方向へ放射可能である、少なくとも１つの指紋により人物を識別する装置において、 上記光源（１０）から放射される光パルスの長さおよび／または強度が、周囲光状況に従って制御可能であることを特徴とする、人物識別装置）」（【請求項１】）
　
イ　「Vorrichtung gemaess mindestens einem der Ansprueche 1 bis 17, dadurch gekennzeichnet, dass mehr als eine Lichtquelle (10) vorgesehen ist.
（１つより多い光源（１０）が設けられていることを特徴とする請求項１から１７までの少なくとも１項に記載の装置）
」（【請求項１８】）
　
ウ　「Vorrichtung gemaess Anspruch 18, dadurch gekennzeichnet, dass vier Lichtquellen (10) vorgesehen sind.
（４つの光源（１０）が設けられていることを特徴とする請求項１８に記載の装置）」（【請求項１９】）
　
エ　「Vorrichtung gemaess Anspruch 18 oder 19, dadurch gekennzeichnet, dass die Lichtquellen (10) symmetrisch zueinander angeordnet sind.
（光源（１０）が、互いに対して対称に配置されていることを特徴とする請求項１８または１９に記載の装置）」（【請求項２０】）
　
オ　「Vorrichtung gemaess mindestens einem der Ansprueche 18 bis 20, dadurch gekennzeichnet, dass die Lichtquellen (10) seitlich oder ringfoermig um die Fingerauflageflaeche (30) herum angeordnet sind.
（光源（１０）は、指載置面（３０）の側方に、あるいはその回りにリング状に配置されていることを特徴とする請求項１８から２０までの少なくとも１項に記載の装置）」（【請求項２１】）
　
カ　「Vorrichtung gemaess mindestens einem der Ansprueche 18 bis 21, dadurch gekennzeichnet, dass die Lichtquellen (10) gleichmaessig verteilt um die Fingerauflageflaeche (30) herum angeordnet sind.
（光源（１０）は、指載置面（３０）の回りに均一に分配して配置されていることを特徴とする請求項１８から２１までの少なくとも１項に記載の装置）」（【請求項２２】）
　
キ　「Vorrichtung gemaess mindestens einem der Ansprueche 1 bis 35, dadurch gekennzeichnet, dass der Lichtquelle (10) mindestens ein optisches System (20) nachgeordnet ist.
（光源（１０）の後段に、少なくとも１つの光学系（２０）が配置されていることを特徴とする請求項１から３５までの少なくとも１項に記載の装置）」（【請求項３６】）
ク　「Vorrichtung gemaess Anspruch 36, dadurch gekennzeichnet, dass das optische System (20) das von der Lichtquelle (10) abgestrahlte Licht auf die von der Sensoreinheit (40) abgewandte Seite der Fingerauflageflaeche (30) umlenkt und/oder dass das optische System (20) das von der Lichtquelle (10) abgestrahlte Licht auf der von der Sensoreinheit (40) abgewandten Seite der Fingerauflageflaeche (30)  gleichmaessig und/oder diffus verteilt.
（光学系（２０）は、光源（１０）から放射された光を、指載置面（３０）の、センサユニット（４０）とは逆の側へ案内し、かつ／または光学系（２０）は、光源（１０）から放射された光を、指載置面（３０）の、センサユニット（４０）とは逆の側へ均一および／または拡散して分配することを特徴とする請求項３６に記載の装置）」（【請求項３７】）
　
ケ　「Vorrichtung gemaess Anspruch 36 oder 37, dadurch gekennzeichnet, dass das optische System (20) als mindestens ein Filter, als mindestens eine Linse, als mindestens ein Prisma, als mindestens ein Lichtleiter, als mindestens ein Lichtleitelement und/oder als mindestens ein Spiegel ausgebildet ist.
（光学系（２０）は、少なくとも１つのフィルタとして、少なくとも１つのレンズとして、少なくとも１つのプリズムとして、少なくとも１つの光導体として、すくなくとも１つの光ガイド部材としておよび／またはすくなくとも１つのミラーとして形成されていることを特徴とする請求項３６または３７に記載の装置）」（【請求項３８】）
　
コ　「Vorrichtung gemaess mindestens einem der Anspuerche 1 bis 40, dadurch gekennzeichnet, dass auf der von der Sensoreinheit (40) abgewandten, zum Auflegen des vorderen Bereichs des Fingers vorgesehenen Seite der Fingerauflageflaeche (30) mindestens eine Fingerfuerhrung vorgesehen ist.
（指載置面（３０）の、センサユニット（４０）とは逆の、指の前部領域を載置するために設けられている側に、少なくとも１つの指ガイドが設けられていることを特徴とする請求項１から４０までの少なくとも１項に記載の装置）」（【請求項４１】）
　
サ　「Vorrichtung gemaess Anspruch 41, dadurch gekennzeichnet, dass die Fingerfuerhrung ergonomisch geformt ist.
（指ガイドが、人間工学的に成形されていることを特徴とする請求項４１に記載の装置）」（【請求項４２】）
　
シ　「Vorrichtung gemaess mindestens einem der Ansprueche 36 bis 40 und gemaess Anspruch 41 oder 42, dadurch gekennzeichnet, dass das optische System (20) als Fingerfuehrung ausgebildet ist.
（光学系（２０）が、指ガイドとして形成されていることを特徴とする請求項３６から４０および４１または４２の少なくとも１項に記載の装置）」（【請求項４３】）
　
ス　「Nicht nur die Ansteuerung der Lichtquellen und die Anzehl der Lichtquellen, sondern auch deren Anordnung spielt bei der vorliegenden Erfindung eine erfindungswesentliche Rolle. Indem die Lichtquelle seitlich neben der Fingerauflageflaeche angeordnet ist und das Licht von der Lichtquelle in Richtung auf die von der Sensoreinheit abgewandte, zum Auflegen des vorderen Bereichs des Fingers vorgesehene Seite der Fingerauflageflaeche abstrahlbar ist, wird eine austreichende, zuverlaessige Ergebnisse zeitigende Beleuchtung des voderen Bereichs des Fingers ermoeglicht.
　Hierbei erfolgt der Lichteinfall auf den vorderen Bereich des Fingers im wesentlichen von der Seite, wobei zumindest ein Teil des Lichts in das Innere des vorderen Bereichs des Fingers eindringt und dort gestreut wird, wobei die Streuung im wesentlichen in alle Richtungen, so unter anderem auch in Richtung der faseroptischen Fingerauflageflaeche erfolgt;  mithin basiert die vorliegende Erfindung gewissermassen auf der Durchlichttechnik, das heisst das optische Abbild des Fingerabdrucks wird als Durchlichtbild verarbeitet.
（光源の駆動と光源の数だけでなく、その配置も、本発明においては発明的な役割を果たす。光源が指載置面の側方に並べて配置されており、かつ光源からの光が指載置面の、センサユニットとは逆の、指の前部領域を載置するために設けられている側の方向へ放射可能であることによって、指の前部領域の、十分で確実な結果をもたらす照明が可能となる。
　その場合に指の前部領域への光の入射は、大体において側方から行われ、その場合に光の少なくとも一部は指の前部領域の内部へ進入して、そこで散乱され、その場合に散乱は大体においてすべての方向に、すなわち特にファイバー光学的な指載置面の方向にも行われる。したがって本発明は、ある程度透過光技術に基づいており、すなわち指紋の光学的イメージは、透過光画像として処理される）」（１３頁１８行目ないし１４頁８行目）
　
セ　「Gemaess einer besonders erfinderischen Weiterbildung der vorliegenden Vorrichtung ist auf der von der Sensoreinheit abgewandten, zum Auflegen des vorderen Bereichs des Fingers vorgesehenen Seite der Fingerauflageflaeche mindestens eine vorteilhafterweise ergonomisch geformte Fingerfuehrung vorgesehen ist.  Durch eine derartige Fingerfuehrung, die beispielsweise in Form eines “Fingerschuhs” ausgebildet sein kann, wird einer Benutzerin oder einem Benutzer der Vorrichtung, beispielsweise einer zu identifizierenden Person, die Handhabung der Vorrichtung nicht nur in psychologischer, sondern auch in praktischer Hinsicht substantiell erleichtert, da die zu identifizierende Person durch die Anordnung der Fingerfuehrung instinktiv erfasst, in welcher position und an welcher Stelle der vordere Bereich des Fingers auf der von der Sensoreinheit abgewandten Seite der Fingerauflageflaeche zum Erfassen des Fingerabdrucks aufzulegen ist.
（本装置の特に発明的な展開によれば、指載置面の、センサユニットとは逆の、指の前部領域を載置するために設けられている側に、少なくとも１つの好ましくは人間工学的に成形された指ガイドが設けられている。たとえば「指靴」の形状で形成されている、この種の指ガイドによって、装置の女または男の利用者、例えば識別すべき人物にとって装置の取扱が心理的だけでなく、実際に関しても著しく容易になる。というのは、識別すべき人物は指ガイドの配置によって本能的に、指載置面の、センサユニットとは逆の側のどの位置に、そしてどの箇所で指の前部領域を載置すべきか理解するからである）」（２１頁２８行目ないし２２頁１４行目）
　
ソ　「Durch die Fingerauflageflaeche 30 wird das optische Abbild des Fingerabdrucks zu einer Sensoreinheit 40 transportiert, in der das optische Abbild des Fingerabdrucks in elektrische Signale umgewandelt wird.  Die Sensoreinheit 40 ist auf einer Traegereinheit 50 angeordnet, die wiederum auf einer Leiterplatteneinheit 60 angeordnet ist.
　Entscheidend ist nun, dass die Lichtquellen 10 seitlich neben der Fingerauflageflaeche 30 angeordnet sind und dass das Licht von den Lichtquellen 10 in Richtung auf die von der Sensoreinheit 40 abgewandte, zum Auflegen des vorderen Bereichs des Fingers vorgesehene  Seite der Fingerauflageflaeche 30 abstrahlbar ist.
　Hierbei erfolgt der Lichteinfall auf den vorderen Bereich des Fingers im wesentlichen von der Seite, wobei zumindest ein Teil des Lichts in das Innere des vorderen Bereichs des Fingers eindringt und dort gestreut wird, wobei die Streuung im wesentlichen in alle Richtungen, so unter anderem auch in Richtung der faseroptischen Fingerauflageflaeche 30 erfolgt; mithin basiert die anhand der Figuren 1 bis 4C veranschaulichte Erfindung gewissermassen auf der Durchlichttenchnik, das heisst das optische Abbild des Fingerabdrucks wird als Durchlichtbild verarbeitet.
（指載置面３０を通して、指紋の光学的イメージがセンサユニット４０へ移送され、そのセンサユニット内で指紋の光学的イメージが電気的信号に変換される。センサユニット４０は、支持体ユニット５０上に配置されており、その支持体ユニットがまた導体プレートユニット６０上に配置されている。
決定的なことは、光源１０は指載置面３０の側方に並んで配置されており、かつ光源１０からの光は、指載置面３０の、センサユニット４０とは逆の、指の前部領域を載置するために設けられている側の方向に放射可能なことである。
その場合に指の前部領域への光入射は、大体において側方から行われ、その場合に光の少なくとも一部は指の前部領域の内部へ進入して、そこで散乱され、その場合に散乱はほぼすべての方向に行われ、従って特にファイバー光学的な指載置面３０の方向にも行われる；従って図１〜４Ｃを用いて明らかにされる本発明は、ある程度透過光技術に基づいており、すなわち指紋の光学的イメージは、透過光画像として処理される）」（３８頁１９行目ないし３９頁１１行目）
　
タ　「Das in Figur 2 dargestellte zweite Ausfuehrungsbeispiel unterscheidet sich vom in Figur 1 dargestellten ersten Ausfuehrungsbeispiel nicht nur dadurch, dass weder auf dem optischen System 20 noch auf der Fingerauflageflaeche 30 ein fuer das Licht der Lichtquellen 10 durchlaessiges Material aufgebracht ist, sondern vor allem dadurch, dass die Lichtquellen 10 auf der der Sensoreinheit 40 zugewandten Seite der Fingerauflageflaeche 30 angeordnet sind, das heisst sich in Figur 2 unterhalb der Fingerauflageflaeche 30 befinden. 
　Hierbei handelt es sich um eine hinreichende Voraussetzung dafuer, dass das Licht von den Lichtquellen 10 in Richtung auf die von der Sensoreinheit 40 abgewandte, zum Auflegen des vorderen Bereichs des Fingers vorgesehene Seite der Fingerauflageflaeche 30 abgestrahlt wird, das heisst der vordere Bereich des Fingers der zu identifizierenden Person wird von seitlich unten angestrahlt.
（図２に示す第２の実施例は、図１に示す第１の実施例とは、光学系２０上にも指載置面３０上にも光源１０の光を透過する材料が塗布されていないことによってだけでなく、特に光源１０が、指載置面３０のセンサユニット４０の側に配置されている、すなわち図２では指載置面３０の下方にあることによっても、異なっている。
その場合にそれは、光源１０からの光が指載置面３０の、センサユニット４０とは逆の、指の前部領域を載置するために設けられている側の方向へ放射されること、すなわち識別すべき人物の指の前部領域が側方下から照明されるための、十分な前提となる）」（５５頁１９行目ないし５６頁６行目、図２）
　
チ　「Da die Sensoreinheit 40 naturgemaess nur von Licht erreicht werden soll, das die Informationen bezueglich des optischen Abbilds des Fingerabdrucks traegt, das heisst das vom vorderen Bereich des Fingers gestreut ist, sind beim in Figur 2 dargestellten zweiten Ausfuerungsbeispiel der vorliegenden Erfindung innerhalb der Fingerauflageflaeche 30 zwei Sperrschichten 130 vorgesehen, die fuer das Licht der Lichtquellen 10 undurchlaessig sind.  Mittels dieser Sperrschichten 130 wird verhindert, dass von den Lichtquellen 10 emittiertes Licht unmittelbar, das heisst ohne Streuung im vorderen Bereich des Fingers zur Sensoreinheit 40 gelangt.
　Denselben Zwecken wie die Sperrschichten 130 innerhalb der Fingerauflageflaeche 30 (vgl. Figur 2) dienen zwei Sperrschichten 140, die bei den in den Figuren 1 bis 3A gezeigten drei Ausfuehrungsbeispielen der vorliegenden Erfindung jeweils zwischen der Lichtquelle 10 und der Sensoreinheit 40 vorgesehen sind und die ebenfalls fuer das Licht der Lichtquellen 10 undurchlaessig sind.
（もちろんセンサユニット４０へは、指紋の光学的イメージに関する情報を支持する、すなわち指の前部領域によって散乱された、光のみが達するようにすべきであるので、図２に示す本発明の第２の実施例においては、指載置面３０の内部に、光源１０の光を透過しない２つの遮断層１３０が設けられている。この遮断層１３０によって、光源１０から放出された光が直接、すなわち指の前部領域内での散乱なしで、センサユニット４０へ達することが防止される。
　２つの遮断層１４０も、指載置面３０の内部の遮断層１３０（図２を参照）と同一の目的に用いられ、その遮断層は図１から３Ａに示される本発明の３つの実施例においては、それぞれ光源１０とセンサユニット４０との間に設けられており、同様に光源１０の光を透過しない。）」（６０頁６行目ないし２６行目、図２）
　
ツ　Lichtquellen（光源）10 が光センサユニットの周囲でLeiterplatteneinheit（導体プレートユニット）60上に設けられ、Sperrschichten（遮断層）130を内部に設けるFingerauflageflaeche（指載置面） 30がSperrschichten（遮断層）140を介してLeiterplatteneinheit（導体プレートユニット）60上にやはり設けられているのが、Ｆｉｇ．２に図示されている。
　
テ　してみると、刊行物１には、以下の発明（以下、「刊行物発明」という）が記載されているものと認められる。
「光源からの光が指載置面の、センサユニットとは逆の、指の前部領域を載置するために設けられている側の方向へ放射可能であることによって、指の前部領域の、十分で確実な結果をもたらす照明が可能となるものであり、その場合に指の前部領域への光の入射は、大体において側方から行われ、その場合に光の少なくとも一部は指の前部領域の内部へ進入して、そこで散乱され、その場合に散乱は大体においてすべての方向に、すなわち特にファイバー光学的な指載置面の方向にも行われ、指紋の光学的イメージは、透過光画像として処理されるものであって、光源１０が、指載置面３０のセンサユニット４０の側に配置されている、すなわち指載置面３０の下方にあるものであり、光源１０からの光が指載置面３０の、センサユニット４０とは逆の、指の前部領域を載置するために設けられている側の方向へ放射されることにより、識別すべき人物の指の前部領域が側方下から照明されるものであり、
　光源が導体プレートユニット上に設けられ、センサユニットが支持体ユニットを介してやはり導体プレートユニット上に設けられ、指載置面が遮断層を介してやはり導体プレートユニットに設けられており、光源からの光は、指載置面を介し、光学系２０を通って指側部へ至るものであり、光源は光センサユニットの周囲に設けられており、
　光源１０の後段に、少なくとも１つの光学系２０が配置されているものであって、光学系２０は、光源１０から放射された光を、指載置面３０の、センサユニット４０とは逆の側へ案内し、かつ／または光学系２０は、光源１０から放射された光を、指載置面３０の、センサユニット４０とは逆の側へ均一および／または拡散して分配するものであり、光学系２０は、少なくとも１つのフィルタとして、少なくとも１つのレンズとして、少なくとも１つのプリズムとして、少なくとも１つの光導体として、すくなくとも１つの光ガイド部材としておよび／またはすくなくとも１つのミラーとして形成される
　画像入力装置。」
　　
３　本願発明と刊行物１に記載された発明（以下、「刊行物発明」という）との対比
　本願発明と刊行物発明を対比すると、
（１）刊行物発明は、光源からの光が指載置面の、センサユニットとは逆の、指の前部領域を載置するために設けられている側の方向へ放射可能であることによって、指の前部領域の、十分で確実な結果をもたらす照明が可能となるものであり、その場合に指の前部領域への光の入射は、大体において側方から行われ、その場合に光の少なくとも一部は指の前部領域の内部へ進入して、そこで散乱され、その場合に散乱は大体においてすべての方向に、すなわち特にファイバー光学的な指載置面の方向にも行われ、指紋の光学的イメージは、透過光画像として処理されるものであって、光源１０が、指載置面３０のセンサユニット４０の側に配置されている、すなわち指載置面３０の下方にあるものであり、光源１０からの光が指載置面３０の、センサユニット４０とは逆の、指の前部領域を載置するために設けられている側の方向へ放射されることにより、識別すべき人物の指の前部領域が側方下から照明されるものといえるから、刊行物発明と本願発明とは、「光照射手段からの光を被写体に照射し、その光のうち被写体内部で散乱した光を光センサで受光する画像入力装置」点及び、「前記光センサが受光する光は、前記光センサに入射される画像を有する部位とは異なる部位の前記被写体に照射した光であ」る点で一致している。
　また、刊行物発明は、光源（本願発明の「光照射手段」に相当）が導体プレートユニット（本願発明の「基板」に相当）上に設けられ、センサユニット（本願発明の「光センサ」に相当）が支持体ユニットを介してやはり導体プレートユニット上に設けられ、指載置面が遮断層を介してやはり導体プレートユニットに設けられており、光源からの光は、指載置面（センサユニットから見て遮断層の反対側の部分）を介し、光学系（本願発明の「導光体」に相当）２０を通って指側部へ至るものであり、光源は光センサユニットの周囲に設けられているものといえるので、刊行物発明と本願発明とは、「同一基板上に、前記光センサ、前記光照射手段、前記光センサ上の前記被写体に前記光照射手段からの光を導く、光透過性の導光体を有し、前記光照射手段は前記光センサの周囲に設けられ」る点で一致している。
　また、刊行物発明は、光源１０の後段に、少なくとも１つの光学系２０が配置されているものであって、光学系２０は、光源１０から放射された光を、指載置面３０の、センサユニット４０とは逆の側へ案内し、かつ／または光学系２０は、光源１０から放射された光を、指載置面３０の、センサユニット４０とは逆の側へ均一および／または拡散して分配するものであり、光学系２０は、少なくとも１つのフィルタとして、少なくとも１つのレンズとして、少なくとも１つのプリズムとして、少なくとも１つの光導体として、すくなくとも１つの光ガイド部材としておよび／またはすくなくとも１つのミラーとして形成されるものであり、プリズム、ミラーは反射面を有するものといえるから、刊行物発明と本願発明とは、「前記導光体は前記光入射面から入射した光を前記光センサ上の方向に反射させる反射面を有する」点で一致している。
　
（２）したがって、両者は「光照射手段からの光を被写体に照射し、その光のうち被写体内部で散乱した光を光センサで受光する画像入力装置において、前記光センサが受光する光は、前記光センサに入射される画像を有する部位とは異なる部位の前記被写体に照射した光であり、同一基板上に、前記光センサ、前記光照射手段、前記光センサ上の前記被写体に前記光照射手段からの光を導く、光透過性の導光体を有し、前記光照射手段は前記光センサの周囲に設けられ、前記導光体は前記光入射面から入射した光を前記光センサ上の方向に反射させる反射面を有することを特徴とする画像入力装置。」である点で一致し、次の点で相違しているものと認められる。
ａ　本願発明は、「前記導光体の光入射面が前記光照射手段を覆い、前記導光体の光出射面は前記光センサ上に位置」するものであるのに対し、刊行物発明は、そのようなものでない点
ｂ　導光体について、本願発明が「樹脂成形体からなる」の対し、刊行物発明は、この点明確でない点
　　
４　相違点についての検討
　相違点ａについて
　刊行物発明のものは、光源（本願発明の「光照射手段」に相当）がファイバー光学的すなわち導光体である指載置面（センサユニットから見て遮断層１３０，１４０の反対側の部分）を介し、光学系２０を通って指側部へ至るものであるから、光照射手段からの光を指側部へ導光するものといえるところ、上記２シによれば、光学系２０は指ガイドでもあり、指側部の至近に位置するものと解されるから、指側部の至近まで導光しているものといえる。そして、光センサの大きさを指に対してどの程度とするかは、指のどの部分を調べるかということで決まるのであり個々の実施態様に応じて適宜決定される程度のことといえる。また、光照射手段を覆うような導光体の光入射面とするかは光照射体の明るさと光センサの感度等を考慮して適宜採用される構成であって、その採用は通常の工夫の範囲内程度のものといえる。
　してみれば、「前記導光体の光入射面が前記光照射手段を覆い、前記導光体の光出射面は前記光センサ上に位置」するようにすることは当業者が容易に推考できる程度のものといえる。
　相違点ｂについて
　樹脂成形体からなる導光体は普通のものであり適宜採用できる。
　
　そして、これら相違点を総合的に考慮しても当業者が推考し難い格別のものであるとすることはできず、また本願発明の効果についてみても、上記構成の採用に伴って当然に予測される程度のものにすぎず、格別顕著なものがあるともいえない。　
　
５　むすび
　したがって、本願発明は、刊行物１に記載された発明に基いて当業者が容易に発明をすることができたものであるので、他の請求項に係る発明について検討するまでもなく、本願は、特許法第２９条第２項の規定により特許を受けることができない。
　よって、結論のとおり審決する。